(57)【要約】      （修正有）【課題】つた等の蔓性植物や草花を植えて観賞するのに好適な支持技術に関し、建造物、木、竹に支持具を支持させて蔓性の植物や草花を支持することで、自由に植栽を配置して楽しめる支持技術を提供する。【解決手段】セメントに発泡樹脂片を混ぜて、水とボンドで混練し、所望の形に形成して、植物６の支持具を形成する。発泡樹脂片を混ぜてあるので軽くなる。前記支持具に植木鉢を取付ける手段を設けて、前記植木鉢に草花を栽培可能としたので、支持具に這わせた蔓性植物のほかに、草花が有ることで変化に富み、観賞して癒される効果が大きい。また、花が咲くと蝶が来たりして、更に楽しむことができる。【選択図】図４
2019195587.tif 000002
【特許請求の範囲】
【請求項１】
少なくとも、セメントに発泡樹脂片を混ぜて、水とボンドで混練して所望の形に形成し、植物の支持具を形成することを特徴とする植物の支持具の製造方法。
【請求項２】
少なくとも、セメントに発泡樹脂片を混ぜて、水とボンドで混練して所望の形に形成し、かつ取付け手段を設けて、植物の支持具を形成したことを特徴とする植物の支持具。
【請求項３】
少なくとも、セメントに発泡樹脂片を混ぜて、水とボンドで混練して容器状に形成して成ることを特徴とする植物の育成容器又は水槽。
【請求項４】
前記支持具を既存の建造物又は立ち木や竹に取付けるため又は植物栽培手段を取付けるため又は他の用途の孔を開けてあることを特徴とする請求項２又は請求項３に記載の植物の支持具。
【請求項５】
前記支持具に植木鉢を取付ける手段を設けて、前記植木鉢に草花を栽培可能としたことを特徴とする請求項２、請求項３又は請求項４に記載の植物の支持具。
【請求項６】
前記支持具の下方に、小鳥やペットが入れる小屋を設けてあることを特徴とする請求項２、請求項３、請求項４又は請求項５に記載の植物の支持具。
【発明の詳細な説明】
【技術分野】
【０００１】
本発明は、つた等の蔓性植物や草花を植えて観賞するのに好適な支持方法又は支持具に関する。
【背景技術】
【０００２】
草花を植えて観賞するのに好適な支持具として、特許文献１のように発泡スチロール材で所望の外形に近いプランタ基体を形成し、草花を植えるための凹部を３箇所に形成すると共に上段の凹部から下段の凹部に向けて排水路を設け、プランタ基体の外表面および凹部の内表面を加熱溶融して細部を自然の岩や木に近いプランタ形状に仕上げ、その表面全体を接着剤配合のセメント材で塗り固めた後、その上から岩石風あるいは樹木風の色調に調整した塗料を塗布してプランタを製造する技術が知られている。
【先行技術文献】
【特許文献】
【０００３】
【特許文献１】特開２０００−９４８９７号公報
【発明の概要】
【発明が解決しようとする課題】
【０００４】
しかしながら、特許文献１の技術では、プランタ基体の高さや拡がりが限られているため、任意の大きさを得ることが困難である。また、プランタ基体自体に植木鉢を形成するので、植物を植えたり成育させるのに制限が多く、自由度が限られる。
本発明の技術的課題は、このような問題に着目し、他の建造物、木、竹に支持具を支持させて蔓性の植物や草花を支持することで、自由に植栽を配置して楽しめる支持具又は支持方法を実現することにある。
【課題を解決するための手段】
【０００５】
本発明の技術的課題は次のような手段によって解決される。請求項１は、セメントに発泡樹脂片を混ぜて、水とボンドで混練し、所望の形に形成して、植物の支持具を形成することを特徴とする植物の支持具の製造方法である。
【０００６】
請求項２は、セメントに発泡樹脂片を混ぜて、水とボンドで混練して所望の形に形成して、植物の支持具を形成したことを特徴とする植物の支持具である。
【０００７】
請求項３は、セメントに発泡樹脂片を混ぜて、水とボンドで混練して容器状に形成して成ることを特徴とする植物の育成容器である。
【０００８】
請求項４は、前記支持具を既存の建造物又は立ち木や竹に取付けるため又は植物栽培手段を取付けるため又は他の用途の孔を開けてあることを特徴とする請求項２に記載の植物の支持具である。
【０００９】
請求項５は、前記支持具に植木鉢を取付ける手段を設けて、前記植木鉢に草花を栽培可能としたことを特徴とする請求項４に記載の植物の支持具である。
【００１０】
請求項６は、前記支持具の下方に、小鳥やペットが入れる小屋を設けてあることを特徴とする請求項２、請求項４又は請求項５に記載の植物の支持具である。
【発明の効果】
【００１１】
請求項１のように、セメントに発泡樹脂片を混ぜてあるので軽くなり、植物の支持具を他の建造物や自然の立ち木や竹に取付けても負荷は小さく、また自由な形状に形成できる。例えば、三日月や満月、星形や動植物の形など親しめる形状に形成して、室内や並木などに取付けられる。しかも、水とボンドで混練して所望の形状に支持具を形成するので、水やボンドを添加するタイミングや量をコントロールすることで、製造の自由度が増す。
【００１２】
請求項２のように、セメントに発泡樹脂片を混ぜて植物の支持具を製造するので、他の建造物や立ち木や竹に取付けても負荷は小さく、また三日月や満月、星形や動植物の形など親しみやすい自由な形状に形成できる。しかも、水とボンドで混練して支持具を成型するので、水やボンドを添加するタイミングや量をコントロールすることで、製造の自由度が増す。
【００１３】
請求項３のように、セメントに発泡樹脂片を混ぜて、水とボンドで混練して容器状に形成し、植木鉢などの植物の育成容器を形成するので、特に大型で重い植木鉢や水槽などを製造するのに適している。
【００１４】
請求項４のように、前記支持具を既存の建造物又は立ち木や竹に取付けるため又は植物栽培手段を取付けるため又は他の用途の孔を開けてあるので、他の建造物や立ち木や竹などに安易に取付けることができる。また、この孔を利用して図のように前記支持具と共同して土壌や植物を包んだ包囲手段を針金や紐で押さえて取付けることができる。また、小枝を差し込んでおくと、小鳥や蝶が来て止まることもでき、一層癒され、自然に親しむことができる。
【００１５】
請求項５のように、前記支持具に植木鉢を取付ける手段を設けて、前記植木鉢に草花を栽培可能としたので、支持具に這わせた蔓性植物のほかに、草花が有ることで変化に富み、観賞して癒される効果が大きい。また、花が咲くと蝶が来たりして、更に楽しむことができる。
【００１６】
請求項６のように、前記支持具の下方に、小鳥やペットが入れる小屋を設けてあるので、植物の他に小鳥やペットも楽しんだり、癒されたりする効果が期待できる。
【図面の簡単な説明】
【００１７】
【図１】本発明による植物支持具の製造方法を示すフローチャートである。
【図２】平板状や樋状の支持具を例示した斜視図である。
【図３】植物支持具の使い方を例示した斜視図で、図３は平板状の支持具を使用した例である。
【図４】樋状の支持具の凸面を使用した例である。
【発明を実施するための形態】
【００１８】
次に本発明による植物の支持具とその製造方法が実際上どのように具体化されるか実施形態を説明する。図１は本発明による植物の支持具の製造方法を示すフローチャートであり、軽量モルタルで製造する。Ｓ1 は原材料であり、セメントとペレットや粒状の発泡樹脂片と水とボンドである。このような以上４つの原材料をＳ2 のように混合し混練するが、より正確には、セメント50ｋｇと発泡樹脂であるティスサンドのセメント50ｋｇ用をミキサーで１分間空練りし、その後水約22リットルと例えばコニシボンドCZ２50を２００ｇ入れて、約３分間混練する。
【００１９】
次に、Ｓ3 のように、型を用いて成型する。例えば、土間にベニヤ板を敷いて、その上にスリーブを半割りにした状態で３０〜６０ｃｍにカットして、その上に前記の軽量モルタルをコテで塗り付ける。厚みは１２〜２２ｍｍとし、表面は植物の根が付きやすいように粗して粗面化する。例えば、滑滑に仕上げるのでなく、粗いままにしておく、ブラシで擦って荒らす、軟らかいうちにブラシの先を押し当てて凹凸を付ける、断面Ｖ字状に形成した定規を押し当ててＶ字状の横溝を形成する、などである。最後に、Ｓ4 のように養生を行ない、自然に固まるのを待つ。
【００２０】
次に、この植物支持具の構成や使い方を例示する。形状は多様であり、好みにもよるが、例えば、図２（１）（２）のような平な板状状１、１や図２（３）の円弧状に形成した樋状２とする。樋状２にした場合の曲率ば自由であるが、立木や竹を抱くように表裏に取付ける場合などに好適であり、この植物支持具Ｐを取付ける相手側に合うような曲率にする。平面寸法は、例えば１０〜１５ｃｍ×３０〜５０ｃｍ程度であるが、これに限られない。外周に沿って取付け孔ｈ…を開けて、針金や釘などを挿通可能にしてある。孔ｈ…は、上端や下端、中央にも開けるとよいし、所望の位置に開けられる。小鳥や蝶が止まる止まり木となる小枝を差し込む孔も希望する部位に開けておくと良い。支持具Ｐ自体に又は支持具Ｐの付近に巣箱を設けておくと、小鳥が頻繁に来るので、それを楽しむこともできる。
【００２１】
図３、図４は植物支持具Ｐの使い方を例示した斜視図で、草花などの植物を植えた土壌３を支持具Ｐと共同して包むようにして保持する包囲手段、例えば布切れ４やカマスや麻袋の切れ端を３０×４０ｃｍ程度のサイズで包み、外面を針金５や紐を巻いて前記孔ｈ…に挿通し、植物支持具Ｐに取付け支持する。植物６としては、大谷渡りや欄などが好適で、土壌３を包むには、予め土壌３に藻や水苔（みずごけ）を植えたりしておくとよい。このような植物の支持は、複数段に設けても良いし、１段だけでもよい。支持具Ｐも複数段に設けても良いし、相手次第である。建物に限らず、並木などの立木に支持具Ｐを単数又は複数個取付け支持してもよい。また、支持具Ｐ…を任意の方向に複数離して取付け、各支持具Ｐ…間を蔓性植物の蔓で連結してよい。この蔓性植物を伝って他の蔓性植物が絡まり、次第に太って来る。このように、自分の好みに応じたデザインが可能で、随時リニューアルやアレンジ・変更も可能である。なお、芯となるビニール紐等を予め張っておいて蔓性植物が絡まり易くかつ強度を確保すると安心である。
【００２２】
蔓性植物が増えると、支持具Ｐは葉で隠れる場合もあり得る。小鳥や蝶なども来たりする自然の雰囲気に近づけたり、犬猫などのペットが入る小屋を支持具Ｐの下端の下に設けておくと、植物と相まって癒し効果が増し、植物を観賞する楽しみが増えて、心が豊になる。
前記孔ｈ…を利用して市販の植木鉢ホルダーを取付けておき、花の咲いた植木鉢を支持して、花に蜂蜜を付けておくと、蝶や蜜蜂が飛んで来て花に止まるので、自然の雰囲気が楽しめる。支持具Ｐの下に水槽を設けておいて、金魚などを飼うと、一層癒される。この水槽は、本発明の軽量モルタルで製造すると、軽い。  このように、植物を楽しめるだけでなく、支持具Ｐの付近でペットを飼ったり、小鳥や蝶も来やすい雰囲気にすると、自然に近い環境が楽しめ、気持ちが癒されてハッピーな気持ちになれる。
【００２３】
支持具Ｐ自体も、三日月や満月、星形や動植物の形状など親しめる形に形成して、室内や並木などに取付けると、支持具Ｐを軽量化できることと相まって、多様な楽しみ方ができる。
本発明の植物支持具Ｐの製造技術は、植木鉢などを軽量化できるので、大型の植木鉢や水槽にも最適である。すなわち、セメントに発泡樹脂片を混ぜて、水とボンドで混練して植木鉢や水槽などの容器状に形成する。このとき、強度を向上すべく金網などを肉厚の中心に挟むと安心である。
【００２４】
蔓状植物を育成してアーチ状に形成すると、その下を潜って出勤や登校し、また帰宅できるので、気分を積極的にしたり癒効果を期待でき、ハッピーな気持ちになれる。アーチ状の形成は、図３、図４の支持具Ｐを左右に立てて蔓性植物を這わせ、その上端を曲げてアーチ状に形成し、任意の位置に花の咲いた植木鉢を取付けておくと更に楽しみが増える。蔓性植物の上端はアーチ状の支持体に這わせるのが良い。アーチ状の支持体は、竹を曲げるなどの手法で容易に実現できる。クリスマスの時季には、電飾用の豆電球を多数取付けておくと雰囲気が楽しめる。校門や教室の出入口に設けて、標語や目標を表示したり、イベントに利用したり、用途は無限である。また、家族や友人の誕生日などのイベントにも活用できる。
【産業上の利用可能性】
【００２５】
以上のように、植物支持具Ｐを分散して自分好みに自由自在に配設して植物を自由に楽しめるし、小鳥や蝶も来やすいし、犬猫などのペットが入る小屋も準備してあるので、自然な雰囲気で癒され、楽しめる。
【符号の説明】
【００２６】
Ｐ  植物支持具
１  平盤
２  樋状体
３  土壌
ｈ…  取付け孔
４  布切れ
５  針金
６  植物
【図１】
2019195587.tif 000003
【図２】
2019195587.tif 000004
【図３】
2019195587.tif 000005
【図４】
2019195587.tif 000006
【手続補正書】
【提出日】平成30年10月4日(2018.10.4)
【手続補正１】
【補正対象書類名】特許請求の範囲
【補正対象項目名】全文
【補正方法】変更
【補正の内容】
【特許請求の範囲】
【請求項１】
セメントに発泡樹脂片を混ぜ、水と接着剤を加えて混練し、成型養生してなる支持具を既存の建造物又は立ち木や竹に取付けて、前記支持具に蔓性植物を根付かせたことを特徴とする蔓性植物の支持具。
【請求項２】
セメントに発泡樹脂片を混ぜ、水と接着剤を加えて混練し、成型養生してなる支持具を既存の建造物又は立ち木や竹に取付け、前記支持具に蔓性植物を根付かせることを特徴とする蔓性植物の栽培方法。
【請求項３】
セメントに発泡樹脂片を混ぜ、水と接着剤を加えて混練し、成型養生してなる支持具を既存の建造物又は立ち木や竹に取付けて、前記支持具に草花などの植物を栽培し及び／又は支持してなることを特徴とする請求項１に記載の蔓性植物の支持具。
【請求項４】
セメントに発泡樹脂片を混ぜ、水と接着剤を加えて混練し、成型養生してなる支持具を既存の建造物又は立ち木や竹に取付け、この支持具に草花などの植物を栽培し及び／又は支持することを特徴とする請求項２に記載の蔓性植物の栽培方法。
【請求項５】
セメントに発泡樹脂片を混ぜ、水と接着剤を加えて混練し、成型養生してなる支持具に植木鉢を取付けて、前記植木鉢に草花を栽培したことを特徴とする請求項１又は請求項３に記載の蔓性植物の支持具。
【請求項６】
前記支持具の下方に、小鳥やペットが入れる小屋を設けてあることを特徴とする請求項１、請求項３又は請求項５に記載の蔓性植物の支持具。
【手続補正２】
【補正対象書類名】明細書
【補正対象項目名】全文
【補正方法】変更
【補正の内容】
【発明の詳細な説明】
【技術分野】
【０００１】
本発明は、つた等の蔓性植物や草花を植えて観賞するのに好適な支持方法又は支持具に関する。
【背景技術】
【０００２】
草花を植えて観賞するのに好適な支持具として、特許文献１のように発泡スチロール材で所望の外形に近いプランタ基体を形成し、草花を植えるための凹部を３箇所に形成すると共に上段の凹部から下段の凹部に向けて排水路を設け、プランタ基体の外表面および凹部の内表面を加熱溶融して細部を自然の岩や木に近いプランタ形状に仕上げ、その表面全体を接着剤配合のセメント材で塗り固めた後、その上から岩石風あるいは樹木風の色調に調整した塗料を塗布してプランタを製造する技術が知られている。
【先行技術文献】
【特許文献】
【０００３】
【特許文献１】特開２０００−９４８９７号公報
【発明の概要】
【発明が解決しようとする課題】
【０００４】
しかしながら、特許文献１の技術では、プランタ基体の高さや拡がりが限られているため、任意の大きさを得ることが困難である。また、プランタ基体自体に植木鉢を形成するので、植物を植えたり成育させるのに制限が多く、自由度が限られる。
本発明の技術的課題は、このような問題に着目し、他の建造物、木、竹に支持具を支持させて蔓性の植物や草花を支持することで、自由に植栽を配置して楽しめる支持具又は支持方法を実現することにある。
【課題を解決するための手段】
【０００５】
本発明の技術的課題は次のような手段によって解決される。請求項１は、セメントに発泡樹脂片を混ぜ、水と接着剤を加えて混練し、成型養生してなる支持具を既存の建造物又は立ち木や竹に取付けて、前記支持具に蔓性植物を根付かせたことを特徴とする蔓性植物の支持具である。
【０００６】
請求項２は、セメントに発泡樹脂片を混ぜ、水と接着剤を加えて混練し、成型養生してなる支持具を既存の建造物又は立ち木や竹に取付け、前記支持具に蔓性植物を根付かせることを特徴とする蔓性植物の栽培方法である。
【０００７】
請求項３は、セメントに発泡樹脂片を混ぜ、水と接着剤を加えて混練し、成型養生してなる支持具を既存の建造物又は立ち木や竹に取付けて、前記支持具に草花などの植物を栽培し及び／又は支持してなることを特徴とする請求項１に記載の蔓性植物の支持具である。
【０００８】
請求項４は、セメントに発泡樹脂片を混ぜ、水と接着剤を加えて混練し、成型養生してなる支持具を既存の建造物又は立ち木や竹に取付け、この支持具に草花などの植物を栽培し及び／又は支持することを特徴とする請求項２に記載の蔓性植物の栽培方法である。
【０００９】
請求項５は、セメントに発泡樹脂片を混ぜ、水と接着剤を加えて混練し、成型養生してなる支持具に植木鉢を取付けて、前記植木鉢に草花を栽培したことを特徴とする請求項１又は請求項３に記載の蔓性植物の支持具である。
【００１０】
請求項６は、前記支持具の下方に、小鳥やペットが入れる小屋を設けてあることを特徴とする請求項１、請求項３又は請求項５に記載の蔓性植物の支持具である。
【発明の効果】
【００１１】
請求項１のように、セメントに発泡樹脂片を混ぜてあるので軽くなり、植物の支持具を他の建造物や自然の立ち木や竹に取付けても負荷は小さく、また自由な形状に形成できる。例えば、三日月や満月、星形や動植物の形など親しめる形状に形成して、室内や並木などに取付けられる。しかも、水と接着剤で混練して所望の形状に支持具を形成するので、水や接着剤を添加するタイミングや量をコントロールすることで、製造の自由度が増す。
【００１２】
請求項２のように、セメントに発泡樹脂片を混ぜて植物の支持具を製造するので、他の建造物や立ち木や竹に取付けても負荷は小さく、また三日月や満月、星形や動植物の形など親しみやすい自由な形状に形成できる。しかも、水と接着剤で混練して支持具を成型するので、水や接着剤を添加するタイミングや量をコントロールすることで、製造の自由度が増す。
【００１３】
請求項３のように、セメントに発泡樹脂片を混ぜ、水と接着剤を加えて混練し、成型養生してなる支持具を既存の建造物又は立ち木や竹に取付けて、前記支持具に草花などの植物を栽培し及び／又は支持してなるので、支持具に這わせた蔓性植物のほかに、草花が有ることで変化に富み、観賞して癒される効果が大きい。また、花が咲くと蝶が来たりして、更に楽しむことができる。
【００１４】
請求項４のように、前記支持具に這わせた蔓性植物のほかに、草花が有ることで変化に富み、観賞して癒される効果が大きい。また、花が咲くと蝶が来たりして、更に楽しむことができる。
【００１５】
請求項５のように、セメントに発泡樹脂片を混ぜ、水と接着剤を加えて混練し、成型養生してなる支持具に植木鉢を取付けて、前記植木鉢に草花を栽培したので、支持具に這わせた蔓性植物のほかに、草花が有ることで変化に富み、観賞して癒される効果が大きい。また、花が咲くと蝶が来たりして、更に楽しむことができる。
【００１６】
請求項６のように、前記支持具の下方に、小鳥やペットが入れる小屋を設けてあるので、植物の他に小鳥やペットも楽しんだり、癒されたりする効果が期待できる。
【図面の簡単な説明】
【００１７】
【図１】本発明による植物支持具の製造方法を示すフローチャートである。
【図２】平板状や樋状の支持具を例示した斜視図である。
【図３】植物支持具の使い方を例示した斜視図で、図３は平板状の支持具を使用した例である。
【図４】樋状の支持具の凸面を使用した例である。
【発明を実施するための形態】
【００１８】
次に本発明による植物の支持具とその製造方法が実際上どのように具体化されるか実施形態を説明する。図１は本発明による植物の支持具の製造方法を示すフローチャートであり、軽量モルタルで製造する。Ｓ1 は原材料であり、セメントとペレットや粒状の発泡樹脂片と水と接着剤である。このような以上４つの原材料をＳ2 のように混合し混練するが、より正確には、セメント50ｋｇと発泡樹脂であるティスサンドのセメント50ｋｇ用をミキサーで１分間空練りし、その後水約22リットルと例えばコニシボンド（登録商標）CZ２50を２００ｇ入れて、約３分間混練する。
【００１９】
次に、Ｓ3 のように、型を用いて成型する。例えば、土間にベニヤ板を敷いて、その上にスリーブを半割りにした状態で３０〜６０ｃｍにカットして、その上に前記の軽量モルタルをコテで塗り付ける。厚みは１２〜２２ｍｍとし、表面は植物の根が付きやすいように粗して粗面化する。例えば、滑滑に仕上げるのでなく、粗いままにしておく、ブラシで擦って荒らす、軟らかいうちにブラシの先を押し当てて凹凸を付ける、断面Ｖ字状に形成した定規を押し当ててＶ字状の横溝を形成する、などである。最後に、Ｓ4 のように養生を行ない、自然に固まるのを待つ。
【００２０】
次に、この植物支持具の構成や使い方を例示する。形状は多様であり、好みにもよるが、例えば、図２（１）（２）のような平な板状状１、１や図２（３）の円弧状に形成した樋状２とする。樋状２にした場合の曲率は自由であるが、立木や竹を抱くように表裏に取付ける場合などに好適であり、この植物支持具Ｐを取付ける相手側に合うような曲率にする。平面寸法は、例えば１０〜１５ｃｍ×３０〜５０ｃｍ程度であるが、これに限られない。外周に沿って取付け孔ｈ…を開けて、針金や釘などを挿通可能にしてある。孔ｈ…は、上端や下端、中央にも開けるとよいし、所望の位置に開けられる。小鳥や蝶が止まる止まり木となる小枝を差し込む孔も希望する部位に開けておくと良い。支持具Ｐ自体に又は支持具Ｐの付近に巣箱を設けておくと、小鳥が頻繁に来るので、それを楽しむこともできる。
【００２１】
図３、図４は植物支持具Ｐの使い方を例示した斜視図で、草花などの植物を植えた土壌３を支持具Ｐと共同して包むようにして保持する包囲手段、例えば布切れ４やカマスや麻袋の切れ端を３０×４０ｃｍ程度のサイズで包み、外面を針金５や紐を巻いて前記孔ｈ…に挿通し、植物支持具Ｐに取付け支持する。植物６としては、大谷渡りや欄などが好適で、土壌３を包むには、予め土壌３に藻や水苔（みずごけ）を植えたりしておくとよい。このような植物の支持は、複数段に設けても良いし、１段だけでもよい。支持具Ｐも複数段に設けても良いし、相手次第である。建物に限らず、並木などの立木に支持具Ｐを単数又は複数個取付け支持してもよい。また、支持具Ｐ…を任意の方向に複数離して取付け、各支持具Ｐ…間を蔓性植物の蔓で連結してよい。この蔓性植物を伝って他の蔓性植物が絡まり、次第に太って来る。このように、自分の好みに応じたデザインが可能で、随時リニューアルやアレンジ・変更も可能である。なお、芯となるビニール紐等を予め張っておいて蔓性植物が絡まり易くかつ強度を確保すると安心である。
【００２２】
蔓性植物が増えると、支持具Ｐは葉で隠れる場合もあり得る。小鳥や蝶なども来たりする自然の雰囲気に近づけたり、犬猫などのペットが入る小屋を支持具Ｐの下端の下に設けておくと、植物と相まって癒し効果が増し、植物を観賞する楽しみが増えて、心が豊になる。
前記孔ｈ…を利用して市販の植木鉢ホルダーを取付けておき、花の咲いた植木鉢を支持して、花に蜂蜜を付けておくと、蝶や蜜蜂が飛んで来て花に止まるので、自然の雰囲気が楽しめる。支持具Ｐの下に水槽を設けておいて、金魚などを飼うと、一層癒される。この水槽は、本発明の軽量モルタルで製造すると、軽い。  このように、植物を楽しめるだけでなく、支持具Ｐの付近でペットを飼ったり、小鳥や蝶も来やすい雰囲気にすると、自然に近い環境が楽しめ、気持ちが癒されてハッピーな気持ちになれる。
【００２３】
支持具Ｐ自体も、三日月や満月、星形や動植物の形状など親しめる形に形成して、室内や並木などに取付けると、支持具Ｐを軽量化できることと相まって、多様な楽しみ方ができる。
本発明の植物支持具Ｐの製造技術は、植木鉢などを軽量化できるので、大型の植木鉢や水槽にも最適である。すなわち、セメントに発泡樹脂片を混ぜて、水と接着剤で混練して植木鉢や水槽などの容器状に形成する。このとき、強度を向上すべく金網などを肉厚の中心に挟むと安心である。
【００２４】
蔓状植物を育成してアーチ状に形成すると、その下を潜って出勤や登校し、また帰宅できるので、気分を積極的にしたり癒効果を期待でき、ハッピーな気持ちになれる。アーチ状の形成は、図３、図４の支持具Ｐを左右に立てて蔓性植物を這わせ、その上端を曲げてアーチ状に形成し、任意の位置に花の咲いた植木鉢を取付けておくと更に楽しみが増える。蔓性植物の上端はアーチ状の支持体に這わせるのが良い。アーチ状の支持体は、竹を曲げるなどの手法で容易に実現できる。クリスマスの時季には、電飾用の豆電球を多数取付けておくと雰囲気が楽しめる。校門や教室の出入口に設けて、標語や目標を表示したり、イベントに利用したり、用途は無限である。また、家族や友人の誕生日などのイベントにも活用できる。
【産業上の利用可能性】
【００２５】
以上のように、植物支持具Ｐを分散して自分好みに自由自在に配設して植物を自由に楽しめるし、小鳥や蝶も来やすいし、犬猫などのペットが入る小屋も準備してあるので、自然な雰囲気で癒され、楽しめる。
【符号の説明】
【００２６】
Ｐ  植物支持具
１  平盤
２  樋状体
３  土壌
ｈ…  取付け孔
４  布切れ
５  針金
６  植物
【手続補正書】
【提出日】令和1年6月7日(2019.6.7)
【手続補正１】
【補正対象書類名】特許請求の範囲
【補正対象項目名】全文
【補正方法】変更
【補正の内容】
【特許請求の範囲】
【請求項１】
セメントに発泡樹脂片を混ぜ、水と接着剤を加えて混練し、成型養生してなる支持具を既存の建造物又は立ち木や竹に取付けて、前記支持具に蔓性植物を根付かせた構成において、
前記支持具を左右に立てて蔓性植物を這わせ、その上端を曲げてアーチ状に形成してあることを特徴とする蔓性植物の支持具。
【請求項２】
セメントに発泡樹脂片を混ぜ、水と接着剤を加えて混練し、成型養生してなる支持具を既存の建造物又は立ち木や竹に取付け、前記支持具に蔓性植物を根付かせる方法において、
前記支持具を左右に立てて蔓性植物を這わせ、その上端を曲げてアーチ状に形成することを特徴とする蔓性植物の栽培方法。
【請求項３】
セメントに発泡樹脂片を混ぜ、水と接着剤を加えて混練し、成型養生してなる支持具を既存の建造物又は立ち木や竹に取付けて、前記支持具に草花などの植物を栽培し及び／又は支持してなる構成において、
前記支持具を左右に立てて蔓性植物を這わせ、その上端を曲げてアーチ状に形成してあることを特徴とする請求項１に記載の蔓性植物の支持具。
【請求項４】
セメントに発泡樹脂片を混ぜ、水と接着剤を加えて混練し、成型養生してなる支持具を既存の建造物又は立ち木や竹に取付け、この支持具に草花などの植物を栽培し及び／又は支持する方法において、
前記支持具を左右に立てて蔓性植物を這わせ、その上端を曲げてアーチ状に形成することを特徴とする請求項２に記載の蔓性植物の栽培方法。
【請求項５】
セメントに発泡樹脂片を混ぜ、水と接着剤を加えて混練し、成型養生してなる支持具に植木鉢を取付けて、前記植木鉢に草花を栽培した構成において、
前記支持具を左右に立てて蔓性植物を這わせ、その上端を曲げてアーチ状に形成してあることを特徴とする請求項１又は請求項３に記載の蔓性植物の支持具。
【請求項６】
小鳥や蝶が止まる止まり木となる小枝を差し込む孔を前記支持具の希望する部位に開けてあり、又は前記支持具自体に若しくは前記支持具の付近に巣箱を設けてあり、又は前記支持具の下方に、犬猫などのペットが入れる小屋を設けてある構成において、
前記支持具を左右に立てて蔓性植物を這わせ、その上端を曲げてアーチ状に形成してあることを特徴とする請求項１、請求項３又は請求項５に記載の蔓性植物の支持具。
【手続補正２】
【補正対象書類名】明細書
【補正対象項目名】全文
【補正方法】変更
【補正の内容】
【発明の詳細な説明】
【技術分野】
【０００１】
本発明は、つた等の蔓性植物や草花を植えて観賞するのに好適な支持方法又は支持具に関する。
【背景技術】
【０００２】
草花を植えて観賞するのに好適な支持具として、特許文献１のように発泡スチロール材で所望の外形に近いプランタ基体を形成し、草花を植えるための凹部を３箇所に形成すると共に上段の凹部から下段の凹部に向けて排水路を設け、プランタ基体の外表面および凹部の内表面を加熱溶融して細部を自然の岩や木に近いプランタ形状に仕上げ、その表面全体を接着剤配合のセメント材で塗り固めた後、その上から岩石風あるいは樹木風の色調に調整した塗料を塗布してプランタを製造する技術が知られている。
【先行技術文献】
【特許文献】
【０００３】
【特許文献１】特開２０００−９４８９７号公報
【発明の概要】
【発明が解決しようとする課題】
【０００４】
しかしながら、特許文献１の技術では、プランタ基体の高さや拡がりが限られているため、任意の大きさを得ることが困難である。また、プランタ基体自体に植木鉢を形成するので、植物を植えたり成育させるのに制限が多く、自由度が限られる。
本発明の技術的課題は、このような問題に着目し、他の建造物、木、竹に支持具を支持させて蔓性の植物や草花を支持することで、自由に植栽を配置して楽しめる支持具又は支持方法を実現することにある。
【課題を解決するための手段】
【０００５】
本発明の技術的課題は次のような手段によって解決される。請求項１は、セメントに発泡樹脂片を混ぜ、水と接着剤を加えて混練し、成型養生してなる支持具を既存の建造物又は立ち木や竹に取付けて、前記支持具に蔓性植物を根付かせた構成において、
前記支持具を左右に立てて蔓性植物を這わせ、その上端を曲げてアーチ状に形成してあることを特徴とする蔓性植物の支持具である。
【０００６】
請求項２は、セメントに発泡樹脂片を混ぜ、水と接着剤を加えて混練し、成型養生してなる支持具を既存の建造物又は立ち木や竹に取付け、前記支持具に蔓性植物を根付かせる方法において、
前記支持具を左右に立てて蔓性植物を這わせ、その上端を曲げてアーチ状に形成することを特徴とする蔓性植物の栽培方法である。
【０００７】
請求項３は、セメントに発泡樹脂片を混ぜ、水と接着剤を加えて混練し、成型養生してなる支持具を既存の建造物又は立ち木や竹に取付けて、前記支持具に草花などの植物を栽培し及び／又は支持してなる構成において、
前記支持具を左右に立てて蔓性植物を這わせ、その上端を曲げてアーチ状に形成してあることを特徴とする請求項１に記載の蔓性植物の支持具である。
【０００８】
請求項４は、セメントに発泡樹脂片を混ぜ、水と接着剤を加えて混練し、成型養生してなる支持具を既存の建造物又は立ち木や竹に取付け、この支持具に草花などの植物を栽培し及び／又は支持する方法において、
前記支持具を左右に立てて蔓性植物を這わせ、その上端を曲げてアーチ状に形成することを特徴とする請求項２に記載の蔓性植物の栽培方法である。
【０００９】
請求項５は、セメントに発泡樹脂片を混ぜ、水と接着剤を加えて混練し、成型養生してなる支持具に植木鉢を取付けて、前記植木鉢に草花を栽培した構成において、
前記支持具を左右に立てて蔓性植物を這わせ、その上端を曲げてアーチ状に形成してあることを特徴とする請求項１又は請求項３に記載の蔓性植物の支持具である。
【００１０】
請求項６は、小鳥や蝶が止まる止まり木となる小枝を差し込む孔を前記支持具の希望する部位に開けてあり、又は前記支持具自体に若しくは前記支持具の付近に巣箱を設けてあり、又は前記支持具の下方に、犬猫などのペットが入れる小屋を設けてある構成において、
前記支持具を左右に立てて蔓性植物を這わせ、その上端を曲げてアーチ状に形成してあることを特徴とする請求項１、請求項３又は請求項５に記載の蔓性植物の支持具である。
【発明の効果】
【００１１】
請求項１のように、セメントに発泡樹脂片を混ぜてあるので軽くなり、植物の支持具を他の建造物や自然の立ち木や竹に取付けても負荷は小さく、また自由な形状に形成できる。例えば、三日月や満月、星形や動植物の形など親しめる形状に形成して、室内や並木などに取付けられる。しかも、水とボンドで混練して所望の形状に支持具を形成するので、水やボンドを添加するタイミングや量をコントロールすることで、製造の自由度が増す。また、前記支持具に蔓性植物を根付かせた構成において、前記支持具を左右に立てて蔓性植物を這わせ、その上端を曲げてアーチ状に形成してあるので、人手を要しないで容易にアーチ状を形成できしかも蔓性植物の緑を楽しめる。
【００１２】
請求項２のように、セメントに発泡樹脂片を混ぜて植物の支持具を製造するので、他の建造物や立ち木や竹に取付けても負荷は小さく、また三日月や満月、星形や動植物の形など親しみやすい自由な形状に形成できる。しかも、水とボンドで混練して支持具を成型するので、水やボンドを添加するタイミングや量をコントロールすることで、製造の自由度が増す。また、前記支持具に蔓性植物を根付かせる方法において、前記支持具を左右に立てて蔓性植物を這わせ、その上端を曲げてアーチ状に形成するが、既存の建造物又は立ち木や竹に取付けてから、蔓性植物の上端を曲げてアーチ状に形成するので、アーチ状を容易に実現できる。
【００１３】
請求項３のように、セメントに発泡樹脂片を混ぜて、水とボンドで混練して容器状に形成し、植木鉢などの植物の育成容器を形成するので、特に大型で重い植木鉢や水槽などを製造するのに適している。また、前記支持具を左右に立てて蔓性植物を這わせ、その上端を曲げてアーチ状に形成してあるので、容易にアーチ状に形成できる。
【００１４】
請求項４のように、支持具に草花などの植物を栽培し及び／又は支持するので、図のように前記支持具と共同して土壌や植物を包んだ包囲手段を針金や紐で押さえて取付けることができる。また、小枝を差し込んでおくと、小鳥や蝶が来て止まることもでき、一層癒され、自然に親しむことができる。また、アーチ状を形成すると、草花を楽しんだり、小鳥や蝶の飛来で自然が豊になり、アーチ状のデザインが際立つ。
【００１５】
請求項５のように、前記支持具に植木鉢を取付けて、前記植木鉢に草花を栽培可能としたので、支持具に這わせた蔓性植物のほかに、草花が有ることで美化され、観賞して癒される。また、花が咲くと蝶が来たりして、更に楽しむことができる。
また、前記支持具を左右に立てて蔓性植物を這わせ、その上端を曲げてアーチ状に形成してあるので、人が通るアーチ状の付近に蝶が飛来して止まったりすると、自然環境が豊かになる。
【００１６】
請求項６のように、前記支持具を左右に立てて蔓性植物を這わせ、その上端を曲げてアーチ状に形成してあるので、前記「アーチ状」の他に、小鳥や蝶が止まる止まり木となる小枝を差し込む孔を前記支持具の希望する部位に開けてあり、又は前記支持具自体に若しくは前記支持具の付近に巣箱を設けてあり、又は前記支持具の下方に、犬猫などのペットが入れる小屋を設けてあるので、人が通るアーチ状の付近に小鳥や蝶が飛来して来て止まったりすると、自然環境が豊かになり、また犬猫などのペットが居ると、気持ちが癒される。
【図面の簡単な説明】
【００１７】
【図１】本発明による植物支持具の製造方法を示すフローチャートである。
【図２】平板状や樋状の支持具を例示した斜視図である。
【図３】植物支持具の使い方を例示した斜視図で、図３は平板状の支持具を使用した例である。
【図４】樋状の支持具の凸面を使用した例である。
【発明を実施するための形態】
【００１８】
次に本発明による植物の支持具とその製造方法が実際上どのように具体化されるか実施形態を説明する。図１は本発明による植物の支持具の製造方法を示すフローチャートであり、軽量モルタルで製造する。Ｓ1 は原材料であり、セメントとペレットや粒状の発泡樹脂片と水とボンドである。このような以上４つの原材料をＳ2 のように混合し混練するが、より正確には、セメント50ｋｇと発泡樹脂であるティスサンドのセメント50ｋｇ用をミキサーで１分間空練りし、その後水約22リットルと例えばコニシボンドCZ２50を２００ｇ入れて、約３分間混練する。
【００１９】
次に、Ｓ3 のように、型を用いて成型する。例えば、土間にベニヤ板を敷いて、その上にスリーブを半割りにした状態で３０〜６０ｃｍにカットして、その上に前記の軽量モルタルをコテで塗り付ける。厚みは１２〜２２ｍｍとし、表面は植物の根が付きやすいように粗して粗面化する。例えば、滑滑に仕上げるのでなく、粗いままにしておく、ブラシで擦って荒らす、軟らかいうちにブラシの先を押し当てて凹凸を付ける、断面Ｖ字状に形成した定規を押し当ててＶ字状の横溝を形成する、などである。最後に、Ｓ4 のように養生を行ない、自然に固まるのを待つ。
【００２０】
次に、この植物支持具の構成や使い方を例示する。形状は多様であり、好みにもよるが、例えば、図２（１）（２）のような平な板状状１、１や図２（３）の円弧状に形成した樋状２とする。樋状２にした場合の曲率は自由であるが、立木や竹を抱くように表裏に取付ける場合などに好適であり、この植物支持具Ｐを取付ける相手側に合うような曲率にする。平面寸法は、例えば１０〜１５ｃｍ×３０〜５０ｃｍ程度であるが、これに限られない。外周に沿って取付け孔ｈ…を開けて、針金や釘などを挿通可能にしてある。孔ｈ…は、上端や下端、中央にも開けるとよいし、所望の位置に開けられる。小鳥や蝶が止まる止まり木となる小枝を差し込む孔も希望する部位に開けておくと良い。支持具Ｐ自体に又は支持具Ｐの付近に巣箱を設けておくと、小鳥が頻繁に来るので、それを楽しむこともできる。
【００２１】
図３、図４は植物支持具Ｐの使い方を例示した斜視図で、草花などの植物を植えた土壌３を支持具Ｐと共同して包むようにして保持する包囲手段、例えば布切れ４やカマスや麻袋の切れ端を３０×４０ｃｍ程度のサイズで包み、外面を針金５や紐を巻いて前記孔ｈ…に挿通し、植物支持具Ｐに取付け支持する。植物６としては、大谷渡りや欄などが好適で、土壌３を包むには、予め土壌３に藻や水苔（みずごけ）を植えたりしておくとよい。このような植物の支持は、複数段に設けても良いし、１段だけでもよい。支持具Ｐも複数段に設けても良いし、相手次第である。建物に限らず、並木などの立木に支持具Ｐを単数又は複数個取付け支持してもよい。また、支持具Ｐ…を任意の方向に複数離して取付け、各支持具Ｐ…間を蔓性植物の蔓で連結してよい。この蔓性植物を伝って他の蔓性植物が絡まり、次第に太って来る。このように、自分の好みに応じたデザインが可能で、随時リニューアルやアレンジ・変更も可能である。なお、芯となるビニール紐等を予め張っておいて蔓性植物が絡まり易くかつ強度を確保すると安心である。
【００２２】
蔓性植物が増えると、支持具Ｐは葉で隠れる場合もあり得る。小鳥や蝶なども来たりする自然の雰囲気に近づけたり、犬猫などのペットが入る小屋を支持具Ｐの下端の下に設けておくと、植物と相まって癒し効果が増し、植物を観賞する楽しみが増えて、心が豊になる。
前記孔ｈ…を利用して市販の植木鉢ホルダーを取付けておき、花の咲いた植木鉢を支持して、花に蜂蜜を付けておくと、蝶や蜜蜂が飛んで来て花に止まるので、自然の雰囲気が楽しめる。支持具Ｐの下に水槽を設けておいて、金魚などを飼うと、一層癒される。この水槽は、本発明の軽量モルタルで製造すると、軽い。  このように、植物を楽しめるだけでなく、支持具Ｐの付近でペットを飼ったり、小鳥や蝶も来やすい雰囲気にすると、自然に近い環境が楽しめ、気持ちが癒されてハッピーな気持ちになれる。
【００２３】
支持具Ｐ自体も、三日月や満月、星形や動植物の形状など親しめる形に形成して、室内や並木などに取付けると、支持具Ｐを軽量化できることと相まって、多様な楽しみ方ができる。
本発明の植物支持具Ｐの製造技術は、植木鉢などを軽量化できるので、大型の植木鉢や水槽にも最適である。すなわち、セメントに発泡樹脂片を混ぜて、水とボンドで混練して植木鉢や水槽などの容器状に形成する。このとき、強度を向上すべく金網などを肉厚の中心に挟むと安心である。
【００２４】
蔓状植物を育成してアーチ状に形成すると、その下を潜って出勤や登校し、また帰宅できるので、気分を積極的にしたり癒効果を期待でき、ハッピーな気持ちになれる。アーチ状の形成は、図３、図４の支持具Ｐを左右に立てて蔓性植物を這わせ、その上端を曲げてアーチ状に形成し、任意の位置に花の咲いた植木鉢を取付けておくと更に楽しみが増える。蔓性植物の上端はアーチ状の支持体に這わせるのが良い。アーチ状の支持体は、竹を曲げるなどの手法で容易に実現できる。クリスマスの時季には、電飾用の豆電球を多数取付けておくと雰囲気が楽しめる。校門や教室の出入口に設けて、標語や目標を表示したり、イベントに利用したり、用途は無限である。また、家族や友人の誕生日などのイベントにも活用できる。
【産業上の利用可能性】
【００２５】
以上のように、植物支持具Ｐを分散して自分好みに自由自在に配設して植物を自由に楽しめるし、小鳥や蝶も来やすいし、犬猫などのペットが入る小屋も準備してあるので、自然な雰囲気で癒され、楽しめる。
【符号の説明】
【００２６】
Ｐ  植物支持具
１  平盤
２  樋状体
３  土壌
ｈ…  取付け孔
４  布切れ
５  針金
６  植物